(57)【要約】【課題】使い勝手が良好な動物用リードを提供する。【解決手段】動物用リード１０は、拡大・縮小可能な先端側環状部２６及び後端側環状部３０を備えている。先端側環状部２６を拡大すると、動物用リード１０の長さを長くすることができ、先端側環状部２６を縮小すると、動物用リード１０の長さを短くすることができる。また、後端側環状部３０を拡大・縮小することにより、使用状況に応じて後端側環状部３０を種々使い分けることができる。【選択図】図１
0003178003.tif 000002
【実用新案登録請求の範囲】
【請求項１】
１本の紐に折返し部を形成すると共に、前記紐における前記折返し部側の部分を形成する一対の紐部を結束部により結束することにより該結束部よりも前記折返し部側に形成された輪部と、
環状に形成されて、一の側より前記輪部が挿通されると共に、前記結束部に係止された環状部材と、
前記１本の紐において前記結束部から前記輪部と反対側に導出された一対の紐部を折り返すことにより形成された先端側環状部と、
前記先端側環状部に移動自在に設けられ、対象物に連結される連結部材と、
前記先端側環状部を形成する前記一対の紐部とそれぞれ連続し、他の側より前記環状部材に挿通されると共に、前記輪部の基端部を挟んだ両側を通過した後に前記輪部の先端部に挿通された一対の紐部により形成されたリード本体部と、
前記リード本体部を形成する前記一対の紐部の後端側を束ねると共に、前記リード本体部の長手方向に移動自在とされた結束部材と、
前記リード本体部を形成する前記一対の紐部の一方の端部と他方の端部とが結合されることにより形成され、環状を成す後端側環状部と、
を備えた動物用リード。
【請求項２】
前記結束部は、前記紐における前記折返し部側の部分を形成する前記一対の紐部に形成された止め結びとされている、
請求項１に記載の動物用リード。
【請求項３】
前記後端側環状部に取り付けられたグリップを備えた、
請求項１又は請求項２に記載の動物用リード。
【請求項４】
前記後端側環状部は、前記結束部材を前記リード本体部の長手方向に移動させることにより径を変更可能とされ、使用者がハンドルとして使用する第一使用状態と、使用者が襷掛けして使用する第二使用状態と、使用者が腰の周囲に装着して使用する第三使用状態とを取り得る、
請求項１〜請求項３のいずれか一項に記載の動物用リード。
【考案の詳細な説明】
【技術分野】
【０００１】  本考案は、動物用リードに関する。
【背景技術】
【０００２】  従来、動物用リードが知られている。
【先行技術文献】
【特許文献】
【０００３】
【特許文献１】  特開２００９−２１３４３４号公報
【考案の概要】
【考案が解決しようとする課題】
【０００４】  このような動物用リードでは、使い勝手が良好であることが要求される。【０００５】  従って、本考案は、使い勝手が良好である動物用リードを提供することを目的とする。
【課題を解決するための手段】
【０００６】  前記目的を達成するために、本考案の動物用リード（１０）は、１本の紐（１２）に折返し部（３２）を形成すると共に、前記紐（１２）における前記折返し部（３２）側の部分を形成する一対の紐部（３４）を結束部（２２）により結束することにより該結束部（２２）よりも前記折返し部（３２）側に形成された輪部（２４）と、環状に形成されて、一の側より前記輪部（２４）が挿通されると共に、前記結束部（２２）に係止された環状部材（１４）と、前記１本の紐（１２）において前記結束部（２２）から前記輪部（２４）と反対側に導出された一対の紐部（３６）を折り返すことにより形成された先端側環状部（２６）と、前記先端側環状部（２６）に移動自在に設けられ、対象物に連結される連結部材（１６）と、前記先端側環状部（２６）を形成する前記一対の紐部（３６）とそれぞれ連続し、他の側より前記環状部材（１４）に挿通されると共に、前記輪部（２４）の基端部（２４Ａ）を挟んだ両側を通った後に前記輪部（２４）の先端部（２４Ｂ）に挿通された一対の紐部（３８）により形成されたリード本体部（２８）と、前記リード本体部（２８）を形成する前記一対の紐部（３８）の後端側を束ねると共に、前記リード本体部（２８）の長手方向に移動自在とされた結束部材（１８）と、前記リード本体部（２８）を形成する前記一対の紐部（３８）の一方の端部（４０Ａ）と他方の端部（４０Ｂ）とが結合されることにより形成され、環状を成す後端側環状部（３０）と、を備えている。
【考案の効果】
【０００７】  この動物用リードによれば、使い勝手を良好にすることができる。
【図面の簡単な説明】
【０００８】
【図１】  動物用リードの全体平面図である。
【図２】  動物用リードにおける環状部材及びその周辺部の平面図である。
【図３】  動物用リードにおける環状部材及びその周辺部の側面図である。
【図４】  動物用リードにおける先端側環状部の大きさが変更可能であることを説明する図である。
【図５】  動物用リードにおける後端側環状部の大きさが変更可能であることを説明する図である。
【図６】  動物用リードにおける後端側環状部を使用者がハンドルとして使用する第一使用状態とした様子を説明する図である。
【図７】  動物用リードにおける後端側環状部を使用者が襷掛けして使用する第二使用状態とした様子を説明する図である。
【図８】  動物用リードにおける後端側環状部を使用者が腰の周囲に装着して使用する第三使用状態とした様子を説明する図である。
【図９】  動物用リードの製造方法を説明する第一説明図である。
【図１０】  動物用リードの製造方法を説明する第二説明図である。
【図１１】  動物用リードの製造方法を説明する第三説明図である。
【考案を実施するための形態】
【０００９】  以下、本考案の一実施形態について説明する。
【００１０】  図１に示されるように、本考案の一実施形態に係る動物用リード１０は、１本の紐１２と、環状部材１４と、連結部材１６と、結束部材１８と、グリップ２０により構成されている。
【００１１】  １本の紐１２には、例えば、登山用ロープなどが好適に使用される。この１本の紐１２には、止め結び２２（結束部）と、輪部２４と、先端側環状部２６と、リード本体部２８と、後端側環状部３０が形成されている。以下、各部の構成と併せて、この動物用リード１０の製造方法を説明する。
【００１２】  すなわち、先ず、図９（Ａ）に示されるように、１本の紐１２に折返し部３２を形成する。また、図９（Ｂ）に示されるように、この紐１２における折返し部３２側の部分を形成する一対の紐部３４に止め結び２２を形成する。そして、このようにして一対の紐部３４を止め結び２２により結束することにより、この止め結び２２よりも折返し部３２側に輪部２４を形成する。
【００１３】  続いて、図１０（Ａ）に示されるように、環状に形成された環状部材１４に、一の側（例えば上側）より輪部２４を挿通する。そして、止め結び２２を環状部材１４に係止する。また、図１０（Ｂ）に示されるように、１本の紐１２において止め結び２２から輪部２４と反対側に導出された一対の紐部３６を折り返す。この一対の紐部３６は、後述する先端側環状部２６を形成する部分である。
【００１４】  また、この際、この一対の紐部３６に連結部材１６を設ける。この連結部材１６は、対象物（例えば、犬の首輪等）に連結されるものであり、後述する先端側環状部２６に移動自在に設けられる。
【００１５】  次いで、図１０（Ｃ）に示されるように、一対の紐部３６とそれぞれ連続する一対の紐部３８を、他の側（例えば、下側）より環状部材１４に挿通する。また、この一対の紐部３８を、輪部２４の基端部２４Ａを挟んだ両側を通過させた後に、輪部２４の先端部２４Ｂに挿通する（図１〜図４も参照）。なお、図１〜図４において１本の紐１２の上に示される矢印は、この紐１２における折返し部３２から一対の紐部３８に向かう方向を理解の容易のために示したものである。そして、このようにして一対の紐部３６により先端側環状部２６を形成すると共に、一対の紐部３８によりリード本体部２８を形成する。
【００１６】  続いて、図１１（Ａ）に示されるように、リード本体部２８を形成する一対の紐部３８の後端側をチューブ状の結束部材１８の内側に挿通し、この一対の紐部３８を束ねる。この結束部材１８は、リード本体部２８の長手方向に移動自在とされる。
【００１７】  そして、図１１（Ｂ）に示されるように、リード本体部２８を形成する一対の紐部３８の一方の端部４０Ａと他方の端部４０Ｂとを適宜箇所において結合し、環状を成す後端側環状部３０を形成する。また、このとき、チューブ状に形成されたグリップ２０の内側に後端側環状部３０を挿通し、この後端側環状部３０にグリップ２０を取り付ける。以上の要領で動物用リード１０は製造される（図１〜図４も参照）。
【００１８】  次に、上述の動物用リード１０の使い方と併せてその作用及び効果について説明する。
【００１９】  以上のように製造された動物用リード１０では、図４に示されるように、先端側環状部２６の大きさを変更することが可能である。すなわち、図２に示されるように、環状部材１４を指で押えた状態で、先端側環状部２６におけるリード本体部２８側の部分２６Ａを引っ張れば、図４の下図に示されるように、先端側環状部２６を拡大することができる。
【００２０】  一方、図２に示されるように、環状部材１４を指でお押えた状態で、リード本体部２８における先端側環状部２６側の部分２８Ａを引っ張れば、図４の上図に示されるように、先端側環状部２６を縮小することができる。これにより、リード本体部２８の長さ、ひいては、動物用リード１０の長さを変更することができる。つまり、先端側環状部２６が拡大された状態では、リード本体部２８の長さが短くなり、先端側環状部２６が縮小された状態では、リード本体部２８の長さが長くなる。
【００２１】  なお、図２に示されるように、環状部材１４を指で押えた状態では、リード本体部２８を形成する一対の紐部３８のうち輪部２４の基端部２４Ａの両側に位置する部分３８Ａと、この輪部２４の基端部２４Ａとの間の締付力が弱い。このため、リード本体部２８を形成する一対の紐部３８が輪部２４の基端部２４Ａの両側を容易にすり抜けることができる。従って、上述のように、先端側環状部２６におけるリード本体部２８側の部分２６Ａを引っ張るか、又は、リード本体部２８における先端側環状部２６側の部分２８Ａを引っ張ることにより、先端側環状部２６を拡大・縮小することができる。
【００２２】  これに対し、例えば、犬を散歩させる場合のように、連結部材１６を犬の首輪等に連結すると共に、グリップ２０を手で持っている状態では、先端側環状部２６とリード本体部２８との間に引張力が作用する。この状態では、リード本体部２８を形成する一対の紐部３８のうち輪部２４の基端部２４Ａの両側に位置する部分３８Ａと、この輪部２４の基端部２４Ａとの間の締付力が強くなる。このため、リード本体部２８を形成する一対の紐部３８が輪部２４の基端部２４Ａの両側をすり抜けることが困難となり、リード本体部２８の長さ、ひいては、動物用リード１０の長さが保たれる。従って、例えば、犬を散歩させる場合のような通常の使用時に、不意に動物用リード１０の長さが変わってしまうなどの不具合の発生を防止することができる。
【００２３】  さらに、図５に示されるように、結束部材１８をリード本体部２８の長手方向に移動させれば、後端側環状部３０の大きさも変更することができる。つまり、図５の上図に示されるように、結束部材１８を動物用リード１０の後端側に移動させれば、後端側環状部３０を縮小することができる。一方、図５の下図に示されるように、結束部材１８を動物用リード１０の先端側に移動させれば、後端側環状部３０を拡大することができる。
【００２４】  この後端側環状部３０は、上述の製造過程において、図６に示されるように、使用者がハンドルとして使用する第一使用状態と、図７に示されるように、使用者が襷掛けして使用する第二使用状態と、図８に示されるように、使用者が腰の周囲に装着して使用する第三使用状態とを取り得るように形成されると好適である。このようにすると、使用状況に応じて後端側環状部３０を種々使い分けることができる。
【００２５】  以上より、この動物用リード１０によれば、使い勝手を良好にすることができる。
【００２６】  なお、本実施形態では、輪部２４を形成するために、結束部の一例として、一対の紐部３４に止め結び２２を形成していたが、この代わりに、結束部材等を用いて一対の紐部３４を結束して輪部２４を形成しても良い。
【符号の説明】
【００２７】１０  動物用リード
１２  紐
１４  環状部材
１６  連結部材
１８  結束部材
２０  グリップ
２２  止め結び
２４  輪部
２６  先端側環状部
２８  リード本体部
３０  後端側環状部
３２  折返し部
３４  紐における折返し部側の部分を形成する紐部
３６  先端側環状部を形成する紐部
３８  リード本体部を形成する紐部
４０Ａ  リード本体部を形成する紐部の一方の端部
４０Ｂ  リード本体部を形成する紐部の他方の端部
【図１】
0003178003.tif 000003
【図２】
0003178003.tif 000004
【図３】
0003178003.tif 000005
【図４】
0003178003.tif 000006
【図５】
0003178003.tif 000007
【図６】
0003178003.tif 000008
【図７】
0003178003.tif 000009
【図８】
0003178003.tif 000010
【図９】
0003178003.tif 000011
【図１０】
0003178003.tif 000012
【図１１】
0003178003.tif 000013